(57)【要約】【課題】分電盤の表示部を下方からでも確認しやすいものにすること。【解決手段】配電機器９と、配電機器９を備えるベース部材２と、配電機器９の操作部９１を露出させる開口部３１を備えたカバー部材３を有する分電盤１において、開口部３１の上方に、カバー部材３の表面部３２より背面方向に傾斜させた上側傾斜部３３を備え、前記上側傾斜部３３に配電機器９の名称を表示する表示部３４を設けた構成とする。【選択図】図１
2018137902.tif 000002
【特許請求の範囲】
【請求項１】
配電機器と、配電機器を備えるベース部材と、配電機器の操作部を露出させる開口部を備えたカバー部材を有する分電盤であって、
開口部の上方に、カバー部材の表面部より背面方向に傾斜させた上側傾斜部を備え、前記上側傾斜部に配電機器の名称を表示する表示部を設けた分電盤。
【請求項２】
開口部の下方に、カバー部材の表面部より背面方向に傾斜させた下側傾斜部を備えた請求項１に記載の分電盤。
【請求項３】
カバー部材には複数の開口部を備え、複数の開口部の上方に、カバー部材の表面部より背面方向に傾斜させた上側傾斜部を備えた請求項１又は２に記載の分電盤。
【発明の詳細な説明】
【技術分野】
【０００１】
本発明は、分電盤に関するものである。
【背景技術】
【０００２】
特許文献１に記載されているように、分電盤のカバーから分岐ブレーカの操作部を露出させるために、開口部を設けることが知られている。特許文献１には分岐ブレーカに対応する開口部は二つ設けられており、これら開口部の間には、各分岐ブレーカの種類や容量を記した表示部が設けられている。これら表示部を確認することにより、使用者はいずれの目的に使用されている分岐ブレーカであるのかを把握することができる。
【先行技術文献】
【特許文献】
【０００３】
【特許文献１】特開２０１０−２８８９１号公報
【０００４】
ところで、住宅用分電盤は、家屋の上方に設置されることが一般的であるが、この場合、使用者は下方から覗き込むようにして、表示部の表示内容を確認することが多い。一方、特許文献１に記載されているように従来の表示部は、正面に向けて表示するように、構成されており、負荷名称などを表示するプレートが垂直方向に延びるように配置されているため、下方から覗き込むときに十分な確認ができない場合があった。
【発明の概要】
【発明が解決しようとする課題】
【０００５】
本件の発明者は、この点について鋭意検討することにより、解決を試みた。本発明の課題は、分電盤の表示部を下方からでも確認しやすいものにすることである。
【課題を解決するための手段】
【０００６】
上記課題を解決するため、次のような手段を採用する。第一の手段は、配電機器と、配電機器を備えるベース部材と、配電機器の操作部を露出させる開口部を備えたカバー部材を有する分電盤であって、開口部の上方に、カバー部材の表面部より背面方向に傾斜させた上側傾斜部を備え、前記上側傾斜部に配電機器の名称を表示する表示部を設けた分電盤である。
【０００７】
第一の手段における開口部の下方に、カバー部材の表面部より背面方向に傾斜させた下側傾斜部を備えた構成とすることが好ましい。
【０００８】
第一の手段におけるカバー部材には複数の開口部を備え、複数の開口部の上方に、カバー部材の表面部より背面方向に傾斜させた上側傾斜部を備えた構成とすることが好ましい。
【発明の効果】
【０００９】
本発明では、分電盤の表示部を下方からでも確認しやすいものにすることが可能となる。
【図面の簡単な説明】
【００１０】
【図１】実施形態の分電盤の斜視図である。
【図２】実施形態の分電盤からカバー部材を外した状態を示した分解斜視図である。ただし、カバー部材の扉は省略している。
【図３】実施形態の分電盤におけるケースの分解斜視図である。ただし、カバー部材の扉は省略している。
【図４】分岐ブレーカ用のパネル部材となる第二パネルの斜視図である。
【図５】実施形態の分電盤の断面図である。ただし、カバー部材の扉は省略している。
【発明を実施するための形態】
【００１１】
以下に発明を実施するための形態を示す。図１乃至図３に示されていることから理解されるように、本実施形態の分電盤１は、配電機器９（分岐ブレーカ等）と、配電機器９を備えるベース部材２と、配電機器９の操作部９１を露出させる開口部３１を備えたカバー部材３を有している。また、開口部３１の上方には、カバー部材３の表面部３２より背面方向に傾斜させた上側傾斜部３３を備え、前記上側傾斜部３３に配電機器９の名称を表示する表示部３４を設けている。このため、分電盤１の表示部３４を下方からでも確認しやすくなる。表示部３４は表示部カバーと対応する配電機器９に接続している負荷を示す負荷名称板から構成されているものである。
【００１２】
ここで、本実施形態の分電盤１のカバー部材３周りについて説明する。カバー部材３には開口３９を備えており、この開口３９にはカバー部材３の一部を形成する主幹ブレーカ１１や分岐ブレーカを覆うパネル部材が嵌めあわされる。本実施形態では、主幹ブレーカ１１周りと分岐ブレーカ周りには、各々異なる部材がパネル部材として嵌めあわされている。より具体的には、主幹ブレーカ１１に対応する位置に開口部４９を設けた第一パネル３６が、カバー部材３の開口３９に着脱可能に嵌めあわされている。また、分岐ブレーカに対応する位置に開口部３１を設けた第二パネル３７が、カバー部材３の開口３９に着脱可能に嵌めあわされている。なお、図１に示す例においては、カバー部材３には、回動可能な扉部４１を備えている。この扉部４１を回動させると、開口３９を覆うことが可能となる。
【００１３】
本実施形態においては、図４に示すように、第二パネル３７に設けた開口部３１周りに上側傾斜部３３を備えている。また、開口部３１周りであって、開口部３１の下方には、カバー部材３の表面部３２より背面方向に傾斜させた下側傾斜部３５を備えている。このため、配電機器９の操作部９１の状態を下方からでも確認しやすくなる。本実施形態においては、図５に示されたことから理解されるように、上側傾斜部３３は下側傾斜部３５よりも傾斜が緩やかとなるように構成されている。このため、上側傾斜部３３自体に貼っている表示部３４などは、広い範囲で確認しやすく、下側傾斜部３５の上方に位置する操作部９１も確認しやすい。
【００１４】
上側傾斜部３３、下側傾斜部３５は開口部３１の左右端部に渡って形成しているものであり、つまり、開口部３１に臨む全ての配電機器９の表示部３４に対応させて形成している。なお、上側傾斜部３３は表面部３２より背面方向に傾斜させているので、左右端部を覆うため、開口部３１の左右端部に壁部３１ａを形成している。これにより、表示部３４の表示部カバー内に形成した負荷名称板の脱落を壁部３１ａによって支持する構造となっている。
【００１５】
本実施形態においては、第二パネル３７には複数の開口部３１を備え、複数の開口部３１の上方に、カバー部材３の表面部３２より背面方向に傾斜させた上側傾斜部３３を備えている。つまり、視認しやすい上側傾斜部３３が隣接した開口部３１にも備えており、配電機器９が多い場合でも、状況判断をしやすくなる。また、図１などに示すように、第二パネル３７に上下並んで開口部３１が設けられている場合、それら開口部３１に対応する各々の上側傾斜部３３に表示部３４を取り付ければ、分電盤１内で上下に位置する配電機器９の各々に対応する表示部３４が視認しやすくなる。
【００１６】
本実施形態の第二パネル３７の開口部３１に臨む配電機器９は分岐ブレーカであり、分岐ブレーカのオンオフ操作に使用可能な操作部９１が分電盤１の外側から操作可能となっている。図５に示されたことから理解されるように、操作部９１は表面部３２よりも背面側に位置する構造であり、表面部３２より背面側に凹んだ凹空間内に操作部９１の前側の先端が位置する構造となっている。このため、表面部３２に沿って手を動かしても、手が操作部９１に当たることが無い。したがって、操作部９１の誤操作を抑制することが可能となる。
【００１７】
本実施形態の上側傾斜部３３は、図４及び図５に示されたことから理解されるように、その開放端部が肉厚に形成されており、表示部３４の表示部カバーを保持可能な規制部３８を構成している。なお、上側傾斜部３３に沿って表示部３４の表示部カバーを取り付けることができるよう、カバー部材３には係止孔４２を備えている。
【００１８】
以上、一つの実施形態を中心に説明してきたが、本発明は上記実施形態に限定されることはなく、各種の態様とすることが可能である。例えば、実施形態では２枚のパネルがシールド板として機能しているが、パネルの枚数は１枚のみであっても、３枚以上であっても構わない。分岐ブレーカの数や配電機器の種類によってパネルの形態や枚数を変更すればよい。
【符号の説明】
【００１９】
１  分電盤
２  ベース部材
３  カバー部材
９  配電機器
３１  開口部
３２  表面部
３３  上側傾斜部
３４  表示部
３５  下側傾斜部
９１  操作部
【図１】
2018137902.tif 000003
【図２】
2018137902.tif 000004
【図３】
2018137902.tif 000005
【図４】
2018137902.tif 000006
【図５】
2018137902.tif 000007